(57)【要約】【課題】  格子材にアクセントを持たせ、かつ剛性を確保した格子体を提供する。【解決手段】  格子材１と、胴縁２と、棒材３と、カバー材４とを備え、複数の格子材１を平行かつ等間隔に配置してあって、各格子材１を、格子材１に直交する胴縁２により連結してあり、一部の格子材１の長手方向中間部が欠損していてくり抜き部５を形成してあり、格子材１のくり抜き部５縁部に棒材３が貫通していて、棒材３の両端は欠損していない格子材１に固着してあり、棒材３の露出部をカバー材４が覆っている。【選択図】      図１
2012197568.tif 000002
【特許請求の範囲】
【請求項１】
格子材と、胴縁と、棒材と、カバー材とを備え、複数の格子材を平行かつ等間隔に配置してあって、各格子材を、格子材に直交する胴縁により連結してあり、一部の格子材の長手方向中間部が欠損していてくり抜き部を形成してあり、格子材のくり抜き部縁部に棒材が貫通していて、棒材の両端は欠損していない格子材に固着してあり、棒材の露出部をカバー材が覆っていることを特徴とする格子体。
【発明の詳細な説明】
【技術分野】
【０００１】
本発明は、複数の格子材を並べて構成した格子体に関する。
【背景技術】
【０００２】
従来、複数本の並列する格子材を、格子材に直交する胴縁で連結した格子体があり、フェンスや間仕切りなど、種々の目的で用いられている（たとえば、特許文献１）。
【先行技術文献】
【特許文献】
【０００３】
【特許文献１】特開２０１０−２４２４５５号公報
【発明の概要】
【発明が解決しようとする課題】
【０００４】
このような格子体は、格子材が一様に並んでおり、単調で変化に乏しい印象を与える場合があった。そこで、格子材に何らかのアクセントを持たせた格子体が求められていた。また、その場合でも格子体の剛性を確保しなければならないという課題もあった。
【０００５】
本発明は、上記事情を鑑みたものであり、格子材にアクセントを持たせ、かつ剛性を確保した格子体を提供することを目的とする。
【課題を解決するための手段】
【０００６】
本発明は、格子材と、胴縁と、棒材と、カバー材とを備え、複数の格子材を平行かつ等間隔に配置してあって、各格子材を、格子材に直交する胴縁により連結してあり、一部の格子材の長手方向中間部が欠損していてくり抜き部を形成してあり、格子材のくり抜き部縁部に棒材が貫通していて、棒材の両端は欠損していない格子材に固着してあり、棒材の露出部をカバー材が覆っていることを特徴とする。
【発明の効果】
【０００７】
本発明によれば、格子材の中間部に形成したくり抜き部がアクセントとなる。くり抜き部は、そのままの状態で用いてもよいし、窓を設けたり、装飾品を設けたり、照明を設けたりすることもできる。また、棒材がくり抜き部縁部の格子材を貫通し、棒材の露出部をカバー材が覆っているので、カバー材がスペーサとして機能し、格子材同士の間隔が維持され、また剛性も確保される。そして、棒材は両端部のみを格子材に固着すればよいから、組み立てが容易である。
【図面の簡単な説明】
【０００８】
【図１】本発明の格子体の第一実施形態の正面図である。
【図２】第一実施形態の縦断面図（図１のＡ−Ａ線断面図）である。
【図３】第一実施形態の横断面図（図１のＢ−Ｂ線断面図）である。
【図４】第一実施形態の分解図である。
【図５】第一実施形態の別組み合わせ例を示し、（ａ）はくり抜きユニットが１つ、（ｂ）はくり抜きユニットが３つの場合である。
【図６】（ａ）は第二実施形態、（ｂ）は第三実施形態、（ｃ）は第四実施形態の正面図である。
【発明を実施するための形態】
【０００９】
以下、本発明の実施の形態を図面に基づいて説明する。なお、以下において上下左右とは、図１における上下左右を示し、図１の手前側を前側、奥側を後側とする。この格子体の第一実施形態は、図１〜図３に示すように、上下に延びる複数本の格子材１を、左右に平行かつ等間隔に配置してある。格子材１には、格子体の上端から下端まで延びる長尺材１１と、上下方向中間部が欠損し上下に分かれた短尺材１２とがある。第一実施形態では、格子体の左側と右側のそれぞれにおいて、連続する６本が短尺材１２となっており、上下の短尺材１２の間がくり抜き部５となっている（図１）。そして、格子材１の上端部と下端部（短尺材１２については、上側の短尺材１２の上端部と下側の短尺材１２の下端部）の後側面には左右に延びる胴縁２をネジ止めしてあって、格子材１同士が連結されている。ただし、第一実施形態では、図４に示すように、胴縁２は複数に分割されており、左側から４本、８本、４本、８本、４本の格子材１をそれぞれ連結している。ここで、４本を連結したものは、すべての格子材１が長尺材１１からなり、標準ユニットＵ１とよぶ。一方、８本を連結したものは、両端の格子材１が長尺材１１、その間の格子材１が短尺材１２からなり、くり抜き部５を有していて、くり抜きユニットＵ２とよぶ。そして、標準ユニットＵ１及びくり抜きユニットＵ２のそれぞれの胴縁２を、左右に延びる梁６に並べて取り付けてある。より詳しくは、胴縁２の後側面には開口部２１が形成してあり、梁６の前側面には凸部６１が形成してあって、胴縁２の開口部２１に梁６の凸部６１を挿入し、胴縁２側からネジ止めして固定してある（図２、図３）。さらに、梁６の両端部の下面にはＬ字形のブラケット７が取り付けてあり、ブラケット７は左右の躯体８に固定してあって、格子体を設置してある。
【００１０】
そして、格子材１のくり抜き部５縁部、すなわち、上側の短尺材１２の下端部及び下側の短尺材１２の上端部には、左右方向に貫通する円形の孔を形成してあって、この孔に断面円形の棒材３を挿入してある。棒材３の両端部は、短尺材１２の両側に位置する長尺材１１にネジ止めしてある。さらに、棒材３の露出部、すなわち、格子材１同士の間の部分を円筒形状のカバー材４が覆っている。カバー材４の長さは、格子材１同士の間隔に等しい。組み立て時には、棒材３を短尺材１２の孔及びカバー材４に挿入して貫通させ、その後、両側からネジ止めする。
【００１１】
このように構成した格子体は、格子材１の中間部に形成したくり抜き部５がアクセントとなる。くり抜き部５は、そのままの状態で用いてもよいし、窓を設けたり、装飾品を設けたり、照明を設けたりすることもできる。また、棒材３がくり抜き部５縁部の格子材１（上側の短尺材１２の下端部及び下側の短尺材１２の上端部）を貫通し、棒材３の露出部をカバー材４が覆っているので、カバー材４がスペーサとして機能して格子材１同士の間隔が維持される。さらに、短尺材１２は、一端が胴縁２により固定され、他端が棒材３により固定されるので、剛性も確保される。そして、棒材３は両端部のみを格子材１に固着すればよいから、組み立てが容易である。なお、この棒材３にフックを掛けて、装飾品など種々のものを吊り下げてもよい。
【００１２】
また、この第一実施形態の標準ユニットＵ１及びくり抜きユニットＵ２は、自在に組み合わせることができる。たとえば、図５（ａ）は、２つの標準ユニットＵ１と、１つのくり抜きユニットＵ２を組み合わせた場合であり、格子体として１つのくり抜き部５を有する。ただし、くり抜きユニットＵ２は、５本の短尺材１２を有するものとなっている。また、図５（ｂ）は、４つの標準ユニットＵ１と、３つのくり抜きユニットＵ２を組み合わせた場合であり、格子体として３つのくり抜き部５を有する。ただし、標準ユニットＵ１は、９本の長尺材１１を有するものとなっている。もちろん、これ以外にも組み合わせ方は自由であり、標準ユニットＵ１同士又はくり抜きユニットＵ２同士を連続して並べてもよい。また、標準ユニットＵ１及びくり抜きユニットＵ２を構成する長尺材１１及び短尺材１２の本数も自在である。
【００１３】
さらに、本発明の格子体には、種々の別実施形態がある。たとえば、図６（ａ）は第二実施形態を示し、くり抜き部５の形状が略円形となっている。これは、上側の短尺材１２の下端及び下側の短尺材１２の上端が、中央から両側にかけて中心側へ延びるように形成したものである。棒材３は、最も短い中央の短尺材１２に合わせた位置に設けてある。また、図６（ｂ）は第三実施形態を示し、格子材１が左右に延びており、左右両端に上下に延びる胴縁２を設けてある。そして、短尺材１２は長いものと短いものが交互に配置してあり、くり抜き部５の形状に、よりアクセントを持たせてある。なお、くり抜き部５の形状は、これ以外にも三角形や菱形など、自在に変形することができ、またくり抜き部５の位置も、短尺材１２の長さを変えることで自在に設定できる。さらに、図６（ｃ）は第四実施形態を示し、第三実施形態と同様に、格子材１が左右に延びており、左右両端に上下に延びる胴縁２を設けてある。そして、格子体の左下部と右上部の２箇所に、異なる大きさのくり抜き部５を形成してある。また、これ以外にも、直線上に配置した上下又は左右の短尺材の間に、両短尺材と間隔を空けて１本以上の短尺材を配置し、格子材の長手方向に２つ以上のくり抜き部を形成してもよい。この場合、中間に配置した短尺材にも棒材を取り付けて剛性を確保する。
【００１４】
本発明は、上記の実施形態に限定されない。たとえば、胴縁は分離されていない一体のものであってもよく、胴縁を直接躯体に固定してもよい。また、棒材の断面形状は、円形以外に多角形などでもよいし、カバー材の形状も、意匠性を考慮して自在に設定できる。
【符号の説明】
【００１５】
１  格子材
２  胴縁
３  棒材
４  カバー材
５  くり抜き部
【図１】
2012197568.tif 000003
【図２】
2012197568.tif 000004
【図３】
2012197568.tif 000005
【図４】
2012197568.tif 000006
【図５】
2012197568.tif 000007
【図６】
2012197568.tif 000008